(57)【要約】      （修正有）【課題】移動通信端末の不正所持人が移動通信端末内のデータを随意にアクセスすることを防止できる指紋センシング及び充電システムを提供する。【解決手段】指紋センシング及び充電システムは、外部装置と、外部装置に接続された移動通信端末とを含む。外部装置は、指紋センサーと、外付け電池と、充電設備とを備える。移動通信端末と、指紋センサーと、外付け電池と、充電設備とが互いに接続されている。指紋センサーは登録と検証するための指紋データを捕らえて指紋検証を行い、指紋検証により前記移動通信端末に対してオンオフ操作を行い前記移動通信端末にアクセスする。充電設備は外付け電池を充電する。外付け電池は移動通信端末と指紋センサーとに電源を提供する。移動通信端末にアプリケーションソフトウェアーがインストールされ指紋センサーにアクセスして登録を行い、指紋検証により前記移動通信端末内のデータを保護する。【選択図】図１
0003178917.tif 000002
【実用新案登録請求の範囲】
【請求項１】
外部装置と、前記外部装置に接続された移動通信端末とを含む指紋センシング及び充電システムであって、
前記外部装置は、指紋センサーと、外付け電池と、充電設備とを備え、
前記移動通信端末と、前記指紋センサーと、前記外付け電池と、前記充電設備とが互いに接続され、
前記指紋センサーは登録と検証するための指紋データを捕らえて指紋検証を行い、指紋検証により前記移動通信端末に対してオンオフ操作を行い前記移動通信端末にアクセスし、
前記充電設備は前記外付け電池を充電し、
前記外付け電池は前記移動通信端末と前記指紋センサーとに電源を提供し、
前記移動通信端末にアプリケーションソフトウェアーがインストールされ前記指紋センサーにアクセスして登録を行い、指紋検証により前記移動通信端末内のデータを保護する指紋センシング及び充電システム。
【請求項２】
前記充電設備は交流電に接続されることを特徴とする請求項１に記載の指紋センシング及び充電システム。
【請求項３】
前記移動通信端末は通信インタフェースを備え、前記指紋センサーは前記通信インタフェースを介して前記移動通信端末と接続されることを特徴とする請求項１に記載の指紋センシング及び充電システム。
【請求項４】
前記指紋センサーと前記移動通信端末とは無線で接続されることを特徴とする請求項１に記載の指紋センシング及び充電システム。
【請求項５】
前記移動通信端末は前記指紋データを格納するためのメモリを備えることを特徴とする請求項１〜４のいずれか一つに記載の指紋センシング及び充電システム。
【請求項６】
前記指紋センサーは前記指紋データを格納するためのメモリを備えることを特徴とする請求項１〜４のいずれか一つに記載の指紋センシング及び充電システム。
【請求項７】
前記指紋センサーは前記指紋データを格納するためのメモリを備えることを特徴とする請求項５に記載の指紋センシング及び充電システム。
【請求項８】
前記充電設備は充電インタフェースを備え、前記充電設備は前記充電インタフェースを介して前記外付け電池と接続されることを特徴とする請求項１に記載の指紋センシング及び充電システム。
【請求項９】
前記外付け電池はインタフェースを備え、前記外付け電池は前記インタフェースを介して前記指紋センサーと接続されることを特徴とする請求項１に記載の指紋センシング及び充電システム。
【請求項１０】
前記外付け電池はインタフェースを備え、前記外付け電池は前記インタフェースを介して前記移動通信端末と接続されることを特徴とする請求項１に記載の指紋センシング及び充電システム。
【考案の詳細な説明】
【技術分野】
【０００１】
本考案は指紋センシング技術に関し、特に指紋センシング及び充電システムに関する。
【背景技術】
【０００２】
従来、市販の大多数の移動通信端末（携帯電話、PDAなど）の内部には指紋センサーを設けられていない。当該移動通信端末は盗まれたまたは見失った場合、移動通信端末の不正所持人がたとえば電話帳における電話番号など、移動通信端末内のデータを随意にアクセスすることができ、移動通信端末の合法的な所持人に損失をもたらす。
【考案の概要】
【考案が解決しようとする課題】
【０００３】
本考案の目的は、移動通信端末の不正所持人が移動通信端末内のデータを随意にアクセスすることを防止できる指紋センシング及び充電システムを提供することにある。
【課題を解決するための手段】
【０００４】
本考案は、外部装置と、前記外部装置に接続された移動通信端末とを含む指紋センシング及び充電システムであって、前記外部装置は、指紋センサーと、外付け電池と、充電設備とを備え、前記移動通信端末と、前記指紋センサーと、前記外付け電池と、前記充電設備とが互いに接続され、前記指紋センサーは登録と検証するための指紋データを捕らえて指紋検証を行い、指紋検証により前記移動通信端末に対してオンオフ操作を行い前記移動通信端末にアクセスし、前記充電設備は前記外付け電池を充電し、前記外付け電池は前記移動通信端末と前記指紋センサーとに電源を提供し、前記移動通信端末にアプリケーションソフトウェアーがインストールされ前記指紋センサーにアクセスして登録を行い、指紋検証により前記移動通信端末内のデータを保護する指紋センシング及び充電システムを提供する。
【０００５】
好ましくは、前記充電設備は交流電に接続される。
【０００６】
好ましくは、前記移動通信端末は通信インタフェースを備え、前記指紋センサーは前記通信インタフェースを介して前記移動通信端末と接続される。
【０００７】
好ましくは、前記指紋センサーと前記移動通信端末とは無線で接続される。
【０００８】
好ましくは、前記移動通信端末は前記指紋データを格納するためのメモリを備える。
【０００９】
好ましくは、前記指紋センサーは前記指紋データを格納するためのメモリを備える。
【００１０】
好ましくは、前記充電設備は充電インタフェースを備え、前記充電設備は前記充電インタフェースを介して前記外付け電池と接続される。
【００１１】
好ましくは、前記外付け電池はインタフェースを備え、前記外付け電池は前記インタフェースを介して前記指紋センサーと接続される。
【００１２】
好ましくは、前記外付け電池はインタフェースを備え、前記外付け電池は前記インタフェースを介して前記移動通信端末と接続される。
【考案の効果】
【００１３】
本考案の有益な効果として、移動通信端末の所持人が移動通信端末を使用する際、指紋センサーにより指紋検証を行い移動通信端末に対するオンオフ操作と移動通信端末へのアクセスを図ることから、本考案は移動通信端末の不正所持人が移動通信端末内のデータを随意にアクセスすることを防止できる。また、充電設備は外付け電池を充電して指紋センサーと移動通信端末へ電源を提供することができ、移動通信端末の待機時間の増加を図れる。
【００１４】
以下、図面を参照しながら本発明の指紋センシング及び充電システムの実施形態の基本構造について概略的に説明する。
【図面の簡単な説明】
【００１５】
【図１】図1は本考案の指紋センシング及び充電システムの構成のブロック図である
【図２】図２は図１における移動通信端末の構成を示す。
【考案を実施するための形態】
【００１６】
本考案の目的、技術案とメリットをさらに明瞭にするため、次に図面と結合して本考案の実施形態についてさらに詳しく説明する。本考案の概略的な実施形態及び説明は本考案を解釈するためのものであり、本考案に対して何ら制限的な意味を有するものではないと理解すべきである。当業者は本考案に対してさまざまな変更と改善を実施することもできる。
【００１７】
図１に示すように、本考案は指紋センシング及び充電システム１００を提供する。当該指紋センシング及び充電システム１００は外部装置１００’と移動通信端末１０３とを備える。外部装置１００’は指紋センサー１０１と外付け電池１０４及び充電設備１０２を備える。
【００１８】
移動通信端末１０３と指紋センサー１０１と充電設備１０２とはそれぞれ外付け電池１０４と接続されている。移動通信端末１０３と指紋センサー１０１が接続されている。
【００１９】
指紋センサー１０１と移動通信端末１０３との接続の方式は、移動通信端末１０３における通信インタフェースを介して接続されてもよいし、無線で移動通信端末１０３と無線接続されてもよいし、当業者にとって、その他の指紋センサー１０１と移動通信端末１０３との接続の方式も考えられる。本考案はこれについて制限しない。
【００２０】
充電設備１０２は充電インタフェース（図に示していない）を介して外付け電池１０４と接続可能である。外付け電池１０４はあるインタフェース（図に示していない）を介して指紋センサー１０１と接続可能である。外付け電池１０４はあるインタフェース（図に示していない）を介して移動通信端末１０３と接続可能である。
【００２１】
前記指紋センサー１０１は登録と検証するための指紋データを捕らえて指紋検証を行い、指紋検証により前記移動通信端末１０３に対してオンオフ操作を行い、従来のPINコード検証の代わりに指紋検証により前記移動通信端末１０３にアクセスする。
【００２２】
充電設備１０２は外付け電池１０４を充電する。充電設備１０２は交流電に接続して外付け電池１０４を充電するか、充電設備１０２自身に格納された電気エネルギーで外付け電池１０４を充電する。充電された外付け電池１０４は移動通信端末１０３と指紋センサー１０１へ電源を提供できる。
【００２３】
移動通信端末１０３にアプリケーションソフトウェアーがインストールされている。当該アプリケーションソフトウェアーを用いて指紋センサーにアクセスして登録を行い、指紋検証により前記移動通信端末内のデータを保護する。当該移動通信端末１０３は携帯電話やＰＤＡなどの設備とすることが可能である。
【００２４】
好ましくは、指紋センサー１０１は充電設備１０２と外付け電池１０４と一体化して、移動通信端末１０３の付属外部アタッチメントとする。そうすると、本考案のセンサーシステムにおける指紋センサー１０１と充電設備１０２と外付け電池１０４は市販の内部指紋センサーなしの移動通信端末のいずれに容易に適用できる。移動通信端末にアプリケーションソフトウェアーがインストールされているため、指紋検証機能によりデータを保護できる。
【００２５】
指紋センサー１０１と移動通信端末１０３とは移動通信端末１０３における通信インタフェースを介して接続されたとき、指紋センサー１０１と移動通信端末１０３との間の通信は前記通信インタフェース自身のプロトコルに基づいてもよい。そうすると、移動通信端末１０３はこのような通信に通じて異なる操作に用いられるよう指紋センサーを制御することができる。
【００２６】
図２に示すように、好ましくは、前記移動通信端末１０３は前記指紋データを格納するためのメモリ２０１を備えてもよい。指紋センサー１０１は指紋データを格納するためのメモリ２０２を備えてもよい。
【００２７】
本考案において、移動通信端末に接続される指紋センサーの主な機能は指紋検証によりデータを保護しユーザの移動通信端末へのアクセスを制御することである。指紋検証によるいずれのデータを保護する前に、移動通信端末の所有者は指紋登録処理を行うべきである。この過程において、当該所有者の個人生体識別情報が登録されて当該システムに格納される。当該システムは登録された生体識別情報を用いてデータを保護したり移動通信端末へのアクセスを制御したりすることができる。それらの機能はアプリケーションソフトウェアーによって移動通信端末で実施される。
【００２８】
移動通信端末内のデータは電話帳、ショートメッセージ、ネット情報、ゲーム情報、移動通信端末の設定及び管理情報などを含む。移動通信端末内のその他のデータを含んでもよく、ここでひとつひとつ列挙しない。
【００２９】
たとえば、移動通信端末の所持人は電話帳へアクセスしようとすると、指紋検証を経由しなければならない。指紋検証が必要であり指紋検証をパスした所持人のみ移動通信端末における電話帳にアクセスできる。
【００３０】
従来の移動通信端末において、一般的にパスワードにより匿名ユーザの移動通信端末へのアクセスを保護した。本考案はパスワード検証の代わりに指紋検証を用いて、安全性と便利性を強化した。
【００３１】
本考案の有益な効果として、移動通信端末の所持人が移動通信端末を使用する際、指紋センサーにより指紋検証を行い移動通信端末に対するオンオフ操作と移動通信端末へのアクセスを図ることから、本考案は移動通信端末の不正所持人が移動通信端末内のデータを随意にアクセスすることを防止できる。また、充電設備は指紋センサーと移動通信端末に充電することができ、移動通信端末の待機時間の増加を図れる。
【００３２】
以上に述べた具体的な実施形態で、本考案の目的、技術案とメリットについてさらに詳しく説明した。以上に述べたのは本考案の具体的な実施形態にすぎず、本考案の保護範囲を限定するものではないと理解すべきである。本考案の精神と原則から逸脱することなく、様々な修正、均等代替、改善などが本考案の保護範囲に包含される。
【符号の説明】
【００３３】
１０１  指紋センサー
１０２  充電設備
１０３  移動通信端末
１０４  外付け電池
２０１、２０２  メモリ
【図１】
0003178917.tif 000003
【図２】
0003178917.tif 000004